(57)【要約】第２の解像度を有する表示ユニット（１１２）で使用するために、第１の解像度を有する圧縮ビデオ信号（１１０）を復号する方法および装置。この方法および装置は、ビットストリームを復号する前に、圧縮ビデオビットストリームのダウンスケーリング（１３２）を行うものであり、これは結果として、復号の複雑さをかなり低減させ、必要なメモリをより少なくし、ＣＰＵ用力を低減させることにつながる。
2005505951.tif 000002
【特許請求の範囲】
【請求項１】
第１の解像度を有する圧縮ビデオ信号に対応している圧縮ビデオビットストリームを、前記第１の解像度より低い第２の解像度を有するビデオ信号に復号する方法であって、この方法は
前記圧縮ビデオビットストリームをダウンスケーリングする段階と、
その後、前記第２の解像度を有する前記ビデオ信号を提供するために、ダウンスケーリングされた圧縮ビデオビットストリームを復号する段階を含む方法。
【請求項２】
ダウンスケーリングする段階は、圧縮ビデオビットストリームの高周波数成分を除去する段階を含む請求項１に記載の方法。
【請求項３】
前記ビットストリームは規定サイズのブロックを用い、そして高周波数成分を除去する前記段階は、前記規定サイズより小さい変形されたブロックサイズを有するビットストリームを提供する請求項２に記載の方法。
【請求項４】
前記規定ブロックサイズは８＊８ＤＣＴで、前記変形されたブロックサイズはｋ＊ｋ、ただしｋ＜８である請求項３に記載の方法。
【請求項５】
前記第１の解像度はＣＩＦ（３５２＊２８８）で、前記第２の解像度はＱＣＩＦ（１７６＊１４４）である請求項１に記載の方法。
【請求項６】
さらに、画像を前記第２の解像度で表示ユニットに表示するために、前記第２の解像度を有する前記ビデオ信号を用いる段階を含む請求項１に記載の方法。
【請求項７】
第１の解像度よりも低い第２の解像度を有する表示ユニットで使用するための前記第２の解像度を有するビデオ信号を提供するために、前記第１の解像度を有する圧縮ビデオ信号に対応している圧縮ビデオビッドストリームを処理する方法であって、この方法は
圧縮ビデオビットストリームをダウンスケーリングする段階と、
前記第２の解像度を有する前記ビデオ信号を提供するために、変形された予測を用いてダウンスケーリングされた圧縮ビデオビットストリームを復号する段階と、
画像を前記第２の解像度で前記表示ユニットに表示するために、前記第２の解像度を有する前記ビデオ信号を用いる段階を含む方法。
【請求項８】
前記ビットストリームは規定サイズのブロックを用い、そして前記ダウンスケーリングする段階は、前記規定サイズより小さい変形されたブロックサイズを有するビットストリームを提供する請求項７に記載の方法。
【請求項９】
前記規定ブロックサイズは８＊８ＤＣＴで、前記変形されたブロックサイズはｋ＊ｋ、ただしｋ＜８である請求項８に記載の方法。
【請求項１０】
変形された予測を用いる前記復号段階はさらに
動きベクトルを拡大縮小する段階と、
前記動きベクトルが全画素の場合、動き補償を拡大縮小するためにスプライン補間フィルタを用い
前記動きベクトルが半画素でｋ＝７の場合、動き補償を拡大縮小するために双一次のボカシを用い
前記動きベクトルが水平方向および鉛直方向において半画素でｋ＝６の場合、動き補償を拡大縮小するために双一次のボカシを用い
前記動きベクトルが半画素でｋ＜６の場合、動き補償を拡大縮小するためにボカシが限定されている４タップフィルタを用いる段階を含む、ここで前記変形されたブロックサイズはｋ＊ｋ、ただしｋ＜８である、請求項７に記載の方法。
【請求項１１】
第１の解像度を有する圧縮ビデオ信号に対応する圧縮ビデオビットストリームを、前記第１の解像度より低い第２の解像度を有するビデオ信号に復号するための装置であって、この装置は圧縮ビデオビットストリームをダウンスケーリングし、その後、前記第２の解像度を有する前記信号を提供するために、ダウンスケーリングされた前記圧縮ビデオビットストリームを復号する信号処理回路を備える装置。
【請求項１２】
前記信号処理回路はさらに
ビットストリームのブロックサイズを、規定のサイズから、規定のサイズより小さい変形されたブロックサイズに変形するための手段と、
高周波数離散コサイン変換成分を除去するための手段と、
変形逆変換行列を伴うビットストリームの変形されたブロックを乗ずるための手段と、
不一致によるデグラデーションを低減させるために、変形された予測処理を用いるための手段を備える、請求項１１に記載の装置。
【請求項１３】
第１の解像度を有する圧縮ビデオ信号に対応する圧縮ビデオビットストリームを、前記第１の解像度以上の第２の解像度を有するビデオ信号に復号するための方法であって
変形された予測を用いて圧縮ビデオビットストリームを復号する段階と、
前記第２の解像度を有する表示ユニットの一部分に画像を表示するために、前記ビデオ信号を用いる段階を含む方法。
【請求項１４】
前記ビットストリームは規定サイズのブロックを用い、そして前記復号段階を、前記規定サイズより小さい変形されたブロックサイズを有するビットストリームに適用する請求項１３に記載の方法。
【請求項１５】
前記規定のブロックサイズは８＊８ＤＣＴで、前記変形されたブロックサイズはｋ＊ｋ、ただしｋ＜８である請求項１４に記載の方法。
【請求項１６】
変形された予測を用いる前記復号段階はさらに
動きベクトルを拡大縮小する段階と、
前記動きベクトルが全画素の場合、動き補償を拡大縮小するためにスプライン補間フィルタを用い
前記動きベクトルが半画素でｋ＝７の場合、動き補償を拡大縮小するために双一次のボカシを用い
前記動きベクトルが水平方向と鉛直方向において半画素でｋ＝６の場合、動き補償を拡大縮小するために双一次のボカシを用い
前記動きベクトルが半画素でｋ＜６の場合、動き補償を拡大縮小するためにボカシが限定されている４タップフィルタを用いる段階を含む、請求項１３に記載の方法。
【請求項１７】
第１の解像度を有する圧縮ビデオ信号に対応している圧縮ビデオビットストリームを、前記第１の解像度以上の第２の解像度を有するビデオ信号に復号するための装置であって、この装置は、表示ユニットに前記ビデオ信号を提供するために圧縮ビデオビットストリームを復号する信号処理回路を備える装置。
【請求項１８】
前記信号処理回路はさらに
ビットストリームのブロックサイズを変形するための手段と、
高周波数離散コサイン変換成分を除去するための手段と、
変形された逆変換行列を伴うビットストリームの変形されたブロックを乗ずるための手段と、
不一致によるデグラデーションを低減させるために、変形された予測処理を用いるための手段を有する請求項１７に記載の装置。
【発明の詳細な説明】
【技術分野】
【０００１】
本発明は、全体的には信号処理に関し、さらに詳細には圧縮されたビデオ信号の解像度より解像度が低い、或いは、等しいまたは高い他のユニットで使用するために、圧縮されたビデオ信号を復号するための方法および装置に関する。
【背景技術】
【０００２】
ビデオ映像を表すビデオ画像信号は、多くの場合、第１の場所（送信場所）で処理されて、ビデオ画像信号は圧縮ビデオビットストリームに符号化される。符号化されたビットストリームは、その後、第１の場所から第２の場所（受信場所）に送信することができ、この第２の場所において、受信されたビットストリームは、この受信場所でビデオ映像を表示、処理、または後で検索するために画素値を保存できるように復号される。該受信場所では、例えば、新しい圧縮フォーマットで符号化するために、復号されたビットストリームを処理することもできるし、またはビデオ映像をモニターまたは他の表示ユニットに表示することもできる。
【０００３】
ビデオ画像信号は、共通中間フォーマット（ＣＩＦ）および４分の１の共通中間フォーマット（ＱＣＩＦ）のような、多様なビデオフォーマットを用いて表示され得る。ＣＩＦでは１秒間に３０フレーム（ｆｐｓ）のデータを表示し、各フレームはライン毎に３５２ピクセル有するラインを２８８本含む（３５２＊２８８）。関連規格であるＱＣＩＦもまた、３０ｆｐｓのデータレートで表示するが、各フレームはライン毎に１７６ピクセル有するラインを１４４本含むだけである（１７６＊１４４）。従ってＱＣＩＦの解像度はＣＩＦの４分の１である。その他、ビデオ信号の表示、保存、処理などに有用な非常に高い解像度を提供できる、例えばＰＧＡおよびＭＰＥＧのような、複数のフォーマットがある。
【０００４】
受信場所における保存、処理、または表示のためのユニットの解像度と、ビットストリームが対応する圧縮ビデオ信号の解像度が異なる場合がしばしばある。例えば、ビットストリームはＣＩＦ画像解像度に対応するが、受信場所における表示、保存または処理のためのユニットはＱＣＩＦ解像度を用いることがある。この解像度の違いのために、受信場所でダウンスケーリング処理を行って、画像ユニットがより低い解像度で適切に画像を表示できるようにする必要がある。
【０００５】
図２は、従来の技術で知られている、受信側の処理回路で行ってもよいビデオ復号処理の概略を示している。基本的には、処理に含まれるのは、まず、例えばＣＩＦ解像度に対応している圧縮されたビデオビットストリームを復号し、そしてその後、例えば、圧縮されたビデオビットストリームとは異なる解像度を用いるモニターに画像を表示するために、復号された信号をダウンスケーリングすることである。さらに詳細には、圧縮されたビデオビットストリーム１２１を、最初に信号に逆離散コサイン変換（ＩＤＣＴ）１２６を行うことにより、復号する。その後、画像を再構成するために、予測ブロック１２８において、動きベクトルを前の圧縮ビデオビットストリームに適用することにより、動き補償を提供する。復号した後、より解像度の低い画像を生成するために、画像はダウンスケーリングされる。画像はローパスフィルタ（特に図示されていない）を通過し、次にサブサンプルブロック１２４に入りそこで画像はサブサンプリングされ、保存、処理、または表示できる、解像度がより低い画像が生成される。
【０００６】
図２に示されたシステムでは、受信装置により受信された信号は、最初に全解像度で復号される。その後、その画像を表示ユニットの解像度の低い表示に適合させるために、ダウンスケーリング処理が行われる。全解像度での復号およびその後のダウンスケーリングは処理が複雑で、受信装置内のメモリおよびＣＰＵ容量を多く必要とする。
【発明の開示】
【発明が解決しようとする課題】
【０００７】
本発明は、第２の解像度を有するユニットに映像を適切に表示、保存、または処理できるように、第１の映像解像度に対応している圧縮ビデオビットストリームを処理するための改善された方法および装置を提供する。
さらに詳細には、この第２の解像度が第１の解像度より低い場合、本発明は、圧縮ビデオビットストリームをダウンスケーリングする段階、および、その後で第２の解像度を有するビデオ信号を提供するためにダウンスケーリングされた圧縮ビデオビットストリームを復号する段階を含む。
本発明はまた、ビデオ信号を、圧縮ビデオ信号の解像度以上の解像度を有する表示ユニット上に表示するための方法を提供する。この場合、ビデオ信号は表示ユニットの一部に表示される。
【０００８】
本発明では、圧縮ビデオビットストリームのダウンスケーリングを、ビットストリームが復号される前に行う。これは復号の複雑さをかなり低減させ、そして従来の技術に比べてメモリおよびＣＰＵの用力が低減する。
本発明による現時点での好ましい実施形態によると、ダウンスケーリング段階は、ビットストリームの高周波数の離散コサイン変換（ＤＣＴ）成分の除去を含む。それに続く、復号段階では、変形逆離散コサイン変換および変形された予測ブロックを含む、新規性のある復号アルゴリズムを使用する。この復号アルゴリズムは、必要なメモリと計算が従来の技術よりも少なく、そして、従来の方法ではほとんど感知できない画質を生成する。
本発明に関するその他の利点と、特定の詳細は、好ましい実施形態を示した次の詳細な記述により明らかになるはずである。
【発明を実施するための最良の形態】
【０００９】
添付の図面とともに次の詳細な記述を参照にすることにより、本発明の方法および装置をより完全に理解できるはずである。
本発明による好ましい実施形態を示している添付の図面を参照にしながら、本発明をより詳細に述べる。しかし、本発明は、この他の異なる実施形態で実施してよく、ここに述べる実施形態に限定されると解釈するべきではなく、これらの実施形態は、この開示を完全にし、本発明の範囲を完全に当業者に伝えられるように、提供するものである。
【００１０】
図１は、本発明によるビデオ復号化の方法および装置を用いることができる環境を説明するために、ビデオ画像データを処理するためのシステム全体の概略を示している。概して参照番号１００が付されたこのシステムは、送信装置１０２および受信装置１０４を含む。送信装置１０２は送信場所にあり、その送信装置は、ビデオ提供源１０８からのアナログまたはデジタルビデオ画像信号１１０の受信に適している。ビデオ提供源１０８は、例えばビデオカメラ、ＶＣＲ、ＤＶＤプレーヤ、またはアナログまたはデジタルビデオ画像信号を生成する任意の同様な装置などの任意のビデオ提供源でよい。ビデオ提供源１０８はまたは、ビデオケーブル、アンテナ、または離れたところにある提供源からアナログまたはデジタルビデオ画像信号を受信する任意のその他の装置でよい。
【００１１】
送信装置１０２は、当業者には周知の、したがってここでは説明する必要はない符号化技術を用いて、ビデオ画像信号１１０を、ビデオ画像信号１１０に対応する圧縮ビデオビットストリームに変換する適切な処理回路１０３を含む。送信装置１０２は、次に圧縮ビデオビットストリームを、任意の適切な送信経路１０５を経て、受信装置１０４に送信する。また、当業者には知られていることであるが、ＤＣＴ符号化のような符号化技術は通常、画像に含まれる情報を表すために用いられるデータの量を減らすために、信号に適切な圧縮技術を適用することを含む。
【００１２】
受信装置１０４では、処理回路１０７が受信した圧縮ビデオビットストリームを処理する。受信処理回路１０７は、圧縮ビデオストリームを、アナログまたはデジタルのビデオ画像信号１１１に戻す変換をし、該ビデオ画像信号は、モニター、信号処理ユニット、または保存ユニットのような、信号で表される映像を表示、処理または保存するユニット１１２に供給される。
受信場所にあるユニット１１２の解像度が、受信されたビットストリームが対応する画像の解像度より低いことがある。例えば、圧縮ビデオビットストリームがＣＩＦ解像度に対応する一方で、ユニット１１２が、例えばＱＣＩＦ解像度を用いる場合である。この解像度の違いのために、表示ユニットが適切に画像を表示できるように、受信装置でダウンスケーリング処理を行う必要がある。
【００１３】
或いは、受信場所にある表示ユニット１１２の解像度が、受信されたビットストリームの画像の解像度以上であることもある。この場合、ビデオ信号は表示ユニット１１２全面に表示されるのではなく、その一部に表示されるだけである。
本発明では、ダウンスケーリング操作をビットストリームレベルで行った後に、復号段階を行い、そしてこれにより、復号の複雑さは大幅に減少し、必要なメモリが低減する。
【００１４】
本発明による復号処理の概略を図３に示している。図３に示したように、受信装置１０４の処理回路１０７で受信されるオンラインの圧縮されたビットストリーム１２１は、最初にダウンスケーリングされ、その後復号される。ダウンスケーリングはブロック１３２で示されており、そしてＤＣＴ成分の除去を含む。その後、信号はビデオ復号ループ１３４により復号される。ビデオ復号ループは、変形逆変換１３６および変形された予測１３８を用いているが、次に詳細をのべる。
【００１５】
ここに示した好ましい実施形態において、変形されていないビットストリームは８＊８ＤＣＴブロックを用いる。図３のダウンスケーリングブロック１３２は、変形されたブロックのサイズがｎ＊ｎ（ここで、ｋ＜＝ｎ＜＝８）になるように、高周波数成分の除去を含む。変形逆変換（ＭＩＴ）がｋ＊ｋピクセル（画素）値を生成すると仮定すると、第１の近似の際に、変形された復号ループの複雑さは６４分のＫ２になる。次の表は、変形されていないビットストリームがＣＩＦ（３５２＊２８８）を用いている場合の、ｋが様々な値をとるときに得られる映像の解像度と、対応する複雑さを示している。
【表１】
2005505951.tif 000003
【００１６】
変形逆変換は、静止映像の復号において映像の品質を大幅に損失することがないように設計されており、これは当業者にとっては明白である。最初のビットストリームは８＊８ピクセルのブロックを表す係数を伴う複数のＤＣＴブロックにまとめられる。その後、ｎ＊ｎの係数を用いて各ブロックにおいてｋ＊ｋピクセルを生成するために、変形ＩＤＣＴが用いられる。ここでｋ＜＝ｎ＜＝８である。例えばｎ＝ｋの場合の、そのような行列の例を次の表２に示し、ここで基底関数は列として理解される。浮動小数点数は、解像度計算を限定するために、整数で近似しても問題はない。
【表２】
2005505951.tif 000004
【００１７】
変形された予測は、複数の点を考慮に入れる必要がある。
１．動きベクトルの拡大縮小。本来、動きベクトルは２分の１画素の解像度を有している。変形された動きの解像度は
（ｋ／８）＊１／２  または  ｋ／１６
２．変形されていない動きベクトルを全ピクセル（全画素）で示す場合は、予測処理においてボケは起こらない。従って、拡大縮小された動き補償（サブ画素であり得る）は、できる限り小さなローパスフィルタリングを行うはずである。これは論理的には、実存しない線形段階のオールパスフィルタを用いて行われるものであり、そして実際には、いわゆるスプライン補間フィルタにより行われる。実験では、４タップフィルタで十分であることが示された（表３のａ参照）。
【００１８】
３．変形されていない動きベクトルが、半分のピクセル（半画素）で特定されている場合、予測処理においてボケが生じる。したがって、拡大縮小された予測においてもボケが生じる。試験は、ｋ＝７の場合、双一次のボカシは大丈夫で（表３のｃ参照）、ｋ＝６の場合、さらに配慮が必要であることを示している。水平方向および鉛直方向の動きベクトルの両方が半画素である場合、双一次のボカシが用いられる。他の全ての場合は、ボカシが限定された４タップフィルタが最適である（表３のｂ参照）。これらのボカシが限定されたフィルタは、本質的には、オールパスフィルタと双一次フィルタの間の折中案である。
【表３】
2005505951.tif 000005
フィルタの選択のためのＣコード
Ｈｏｒ＿ｆｉｌｔｅｒ＝ｖｅｒ＿ｆｉｌｔｅｒ＝ａ；     //変形されていない場合の全画素を仮定
ｋ＝７の場合
［（ｍｖ＿ｈｏｒが半画素）の場合  ｈｏｒ＿ｆｉｌｔｅｒ＝ｃ；
（ｍｖ＿ｖｅｒが半画素）の場合  ｖｅｒ＿ｆｉｌｔｅｒ＝ｃ；］
この他にｋ＝６の場合
［（ｍｖ＿ｈｏｒ＆＆ｍｖ＿ｖｅｒが両方とも半画素の場合）ｈｏｒ＿ｆｉｌｔｅｒ＝ｖｅｒ＿ｆｉｌｔｅｒ＝ｃ；
この他に（ｍｖ＿ｈｏｒが半画素）の場合  ｈｏｒ＿ｆｉｌｔｅｒ＝ｂ；
この他に（ｍｖ＿ｖｅｒが半画素）の場合  ｖｅｒ＿ｆｉｌｔｅｒ＝ｂ；］
この他にｋ＞２の場合
［（ｍｖ＿ｈｏｒが半画素）の場合  ｈｏｒ＿ｆｉｌｔｅｒ＝ｂ；
（ｍｖ＿ｖｅｒが半画素）の場合  ｖｅｒ＿ｆｉｌｔｅｒ＝ｂ；］
【００１９】
４．変形されてない予測処理は半画素の補間における丸めを用いている。丸めは画素値によって、切り上げでも切り捨てでもよい。拡大縮小された場合には、ドリフトを防ぐために、丸めは一致していなくてはならない。次の方法は、長期間のドリフトを最小にするために、切り下げによる丸めに関して、切り上げによる丸めと、同じ確率を保証する。次の記述では、通常ｒは値ゼロ（０）をとる。しかし、一部の場合には、値が１（１）であることがある。例えばＭＰＥＧ−４およびＨ．２６３では、ｒの値を付加情報として送信できる。
変形されていない丸め
（ｍｖ＿ｈｏｒ＆＆ｍｖ＿ｖｅｒが両方とも半画素）の場合
ｐ＝（ａ＋ｂ＋ｃ＋ｄ＋２−ｒ）／／４；
この他に  （ｍｖ＿ｈｏｒ｜｜ｍｖ＿ｖｅｒが半画素）の場合
ｐ＝（ａ＋ｂ＋１−ｒ）／／２；
変形された丸め
（ｍｖ＿ｈｏｒ＆＆ｍｖ＿ｖｅｒが両方とも半画素）の場合  Ｒ＝２５６＊（１０−４ｒ）；
この他に（ｍｖ＿ｈｏｒ｜｜ｍｖ＿ｖｅｒが半画素）の場合  Ｒ＝２５６＊（１２−８ｒ）
この他は    Ｒ＝２５６＊８
Ｒの使用は拡大縮小されたｍｖ（ｓｃａｌｅｄ  ｍｖ）による
（ｍｖ＿ｈｏｒ＿ｓｃａｌｅｄ＆＆ｍｖ＿ｖｅｒ＿ｓｃａｌｅｄが両方ともサブ画素）である場合
｛ｐｒｅｄｉｃｔｅｄ＿ｐｅｌ（予測された画素）＝（ｆｉｌｔｅｒ＿ｃｏｆ（０）＊ｐｒｅ＿ｐｅｌ（０）＋...＋ｆｉｌｔｅｒ＿ｃｏｆ（１５）＊ｐｒｅ＿ｐｅｌ（１５）＋（Ｒ＜＜４））＞＞１６；｝
この他（ｍｖ＿ｈｏｒ＿ｓｃａｌｅｄ｜｜ｍｖ＿ｖｅｒ＿ｓｃａｌｅｄの一方がサブ画素）である場合
｛ｐｒｅｄｉｃｔｅｄ＿ｐｅｌ＝（ｆｉｌｔｅｒ＿ｃｏｆ（０）＊ｐｒｅ＿ｐｅｌ（０）＋...＋ｆｉｌｔｅｒ＿ｃｏｆ（３）＊ｐｒｅ＿ｐｅｌ（３）＋（Ｒ＞＞４））＞＞８；｝
他は
ｐｒｅｄｉｃｔｅｄ＿ｐｅｌ＝ｐｒｅ＿ｐｅｌ（０）
示されているように、導かれる数字に合うように、Ｒは拡大縮小される。例えば、１つのサブ画素の拡大縮小された動きベクトルと、１つの２分の１画素の拡大縮小されなかった動きベクトルの場合、Ｒ＝２５６＊（１２−８ｒ）＝２５６＊１２または２５６＊４。この数が＞＞４で拡大縮小される場合、１９２または６４（ｘ＋６４）＞＞８の値であれば切り上げで丸められる、切り下げで丸められる、または全く丸められない確率を有すると仮定できる。これらの確率は、拡大縮小されていない場合の対応する確率にできるだけうまく一致していなくてはならないが、それは長期に及ぶ切り上げおよび切り捨ての合計は同じになるはずであることを意味する。
【００２０】
図４は、本発明による好ましい実施形態による復号方法を説明しているフローチャートである。
まず、例えば送信装置１０２からの圧縮されたビデオビットストリームを、ブロック１５０で示されているように、処理回路１０７で処理するために受信装置１０４で受信する。ビットストリームが、受信場所にある表示ユニット１１２の解像度と同じ解像度を有するビデオ信号に対応している場合（決定ブロック１５２でＮＯに進む場合）、信号は復号１５４され、ブロック１５６で示したように、最終的には映像を表示ユニットに表示するために用いられる。
【００２１】
ビットストリームが表示ユニット１１２の解像度より高い解像度に対応している場合（決定ブロック１５２でＹＥＳに進む場合）、信号はまずダウンスケーリングされ（ブロック１５８）、そしてその後復号され（ブロック１６０）、その後で、ブロック１５６で示されているように、解像度がより低い映像を表示ユニットに表示するために用いられる。
ここに記述したのは本発明による最も好ましい実施形態であるが、本発明は、他にも多様な形態をとることができると認識されるべきである。したがって、本発明は、特許請求の範囲により要求されるような範囲においてのみ限定されるものと理解されるべきである。
【図面の簡単な説明】
【００２２】
【図１】本発明についての説明を支援するために、ビデオ画像データを処理するための全体的なシステムの概略を示している。
【図２】ビデオ画像信号をダウンスケーリングするための、知られている復号処理の概略を示している。
【図３】ビデオ画像信号をダウンスケーリングするための、本発明による現時点での好ましい実施形態による復号処理の概略を示している。
【図４】本発明による現時点での好ましい実施形態による、ビデオ復号方法のフローチャートを示している。
【図１】
2005505951.tif 000006
【図２】
2005505951.tif 000007
【図３】
2005505951.tif 000008
【図４】
2005505951.tif 000009
【国際公開パンフレット】
2005505951.tif 000010
2005505951.tif 000011
2005505951.tif 000012
2005505951.tif 000013
2005505951.tif 000014
2005505951.tif 000015
2005505951.tif 000016
2005505951.tif 000017
2005505951.tif 000018
2005505951.tif 000019
2005505951.tif 000020
2005505951.tif 000021
2005505951.tif 000022
2005505951.tif 000023
2005505951.tif 000024
2005505951.tif 000025
2005505951.tif 000026
2005505951.tif 000027
2005505951.tif 000028
2005505951.tif 000029
2005505951.tif 000030
【国際調査報告】
2005505951.tif 000031
2005505951.tif 000032
2005505951.tif 000033